(57)【要約】【課題】デジタル放送を視聴する際に、コンテンツの出力が途切れることを抑制することができるデジタル放送コンテンツ出力システムを提供することを目的とする。【解決手段】デジタル放送コンテンツ出力システム１は、チューナーモジュール１０と、チューナーモジュール１０に接続され、放送信号に含まれるデータに対してデータ処理を施すとともに、データ処理が施されたデータに基づくコンテンツを出力するパソコン２０とを備える。パソコン２０は、ハイビジョン方式の放送信号およびワンセグ方式の放送信号のいずれか一方を選択する信号選択部２２と、放送信号に含まれるデータに対してデータ処理を施すデータ処理部２８と、コンテンツ出力部２９と、処理遅れ検出部３５とを備えている。さらにパソコン２０は、処理遅れ検出部３５によってデータ処理の遅れが検出された場合に、信号選択部２２にワンセグ方式の放送信号を選択させるＣＰＵ３０を備える。【選択図】図１
2009021806.tif 000002
【特許請求の範囲】
【請求項１】
デジタル方式の放送信号を受信し、データ処理部によって前記放送信号に含まれるデータに対して所定のデータ処理を施し、コンテンツ出力部によって前記データ処理が施されたデータに基づくコンテンツを出力するデジタル放送コンテンツ出力方法であって、
第１の帯域幅を有する第１の放送信号に含まれる第１のデータに対して前記データ処理を施すデータ処理ステップと、
前記データ処理ステップにおける前記データ処理の遅れを検出する処理遅れ検出ステップと、
前記処理遅れ検出ステップにおいて前記データ処理の遅れを検出した場合、前記データ処理部において前記データ処理が施されるデータとして、前記第１の帯域幅よりも狭い第２の帯域幅を有する第２の放送信号に含まれる第２のデータを選択する選択ステップと、
前記選択ステップにおいて選択された前記第２のデータに対して前記データ処理を施して、前記データ処理が施された前記第２のデータに基づくコンテンツを出力するコンテンツ出力ステップと
を備えることを特徴とするデジタル放送コンテンツ出力方法。
【請求項２】
デジタル方式の放送信号を受信し、データ処理部によって前記放送信号に含まれるデータに対して所定のデータ処理を施し、コンテンツ出力部によって前記データ処理が施されたデータに基づくコンテンツを出力するデジタル放送コンテンツ出力方法であって、
前記データ処理部において第１の帯域幅を有する第１の放送信号に含まれる第１のデータに対して前記データ処理を施す場合に、前記データ処理の遅れが発生するか否かを判断する処理遅れ判断ステップと、
前記処理遅れ判断ステップにおける前記判断に基づいて、前記データ処理部において前記データ処理が施されるデータとして、前記第１のデータおよび前記第１の帯域幅よりも狭い第２の帯域幅を有する第２の放送信号に含まれる第２のデータのいずれか一方を選択する選択ステップと、
前記選択ステップにおいて選択されたデータに対して前記データ処理を施して、前記データ処理が施されたデータに基づくコンテンツを出力するコンテンツ出力ステップと
を備えることを特徴とするデジタル放送コンテンツ出力方法。
【請求項３】
前記データ処理部において前記第１の帯域幅を有する前記第１の放送信号に含まれる前記第１のデータに対して前記データ処理を施す場合に、前記データ処理の遅れが発生するか否かを判断するために、テスト用データに対して前記データ処理を施すテスト処理ステップを備えることを特徴とする請求項２に記載のデジタル放送コンテンツ出力方法。
【請求項４】
放送電波を受信して、前記放送電波に含まれるデジタル方式の放送信号を出力するデジタル放送受信装置と、前記デジタル放送受信装置に接続され、前記デジタル放送受信装置から出力された前記放送信号に含まれるデータに対して所定のデータ処理を施すとともに、前記データ処理が施されたデータに基づくコンテンツを出力するデジタル放送コンテンツ出力装置とを備えたデジタル放送コンテンツ出力システムであって、
前記デジタル放送コンテンツ出力装置は、第１の帯域幅を有するとともに第１のデータを含む第１の放送信号および前記第１の帯域幅より狭い第２の帯域幅を有するとともに第２のデータを含む第２の放送信号のいずれか一方を選択する信号選択部と、前記信号選択部によって選択された放送信号に含まれるデータに対して前記データ処理を施すデータ処理部と、前記データ処理部によって前記データ処理が施されたデータに基づくコンテンツを出力するコンテンツ出力部と、前記データ処理部における前記データ処理の遅れを検出する処理遅れ検出部と、前記処理遅れ検出部によって前記第１の放送信号に含まれる前記第１のデータに対する前記データ処理の遅れが検出された場合に、前記信号選択部に前記第２の放送信号を選択させる制御部とを備えることを特徴とするデジタル放送コンテンツ出力システム。
【請求項５】
放送電波を受信して、前記放送電波に含まれるデジタル方式の放送信号を出力するデジタル放送受信装置と、前記デジタル放送受信装置に接続され、前記デジタル放送受信装置から出力された前記放送信号に含まれるデータに対して所定のデータ処理を施すとともに、前記データ処理が施されたデータに基づくコンテンツを出力するデジタル放送コンテンツ出力装置とを備えたデジタル放送コンテンツ出力システムであって、
前記デジタル放送受信装置は、前記放送信号に含まれるデータに対して前記データ処理を施すデータ処理部と、前記データ処理部によって前記データ処理が施されたデータに基づくコンテンツを出力するコンテンツ出力部と、前記データ処理部によって第１の帯域幅を有する第１の放送信号に含まれる第１のデータに対して前記データ処理が施される場合に、前記データ処理の遅れが発生するか否かを判断する処理遅れ判断部と、前記データ処理が施されるデータを含む放送信号として、前記第１の放送信号および前記第１の帯域幅より狭い第２の帯域幅を有するとともに第２のデータを含む第２の放送信号のいずれか一方を選択する信号選択部と、前記処理遅れ判断部の前記判断に基づいて、前記信号選択部に前記第１、第２の放送信号のいずれか一方を選択させる制御部とを備えることを特徴とするデジタル放送コンテンツ出力システム。
【請求項６】
前記データ処理部によって前記第１の帯域幅を有する前記第１の放送信号に含まれる前記第１のデータに対して前記データ処理が施される場合に、前記データ処理の遅れが発生するか否かを判断するために、前記データ処理部にテスト用データに対して前記データ処理を施させるテスト処理部を備える
ことを特徴とする請求項５に記載のデジタル放送コンテンツ出力システム。
【請求項７】
放送電波を受信して、前記放送電波に含まれるデジタル方式の放送信号を出力するデジタル放送受信部と、
第１の帯域幅を有するとともに第１のデータを含む第１の放送信号および前記第１の帯域幅より狭い第２の帯域幅を有するとともに第２のデータを含む第２の放送信号のいずれか一方を選択する信号選択部と、
前記信号選択部によって選択された放送信号に含まれるデータに対して所定のデータ処理を施すデータ処理部と、
前記データ処理部によって前記データ処理が施されたデータに基づくコンテンツを出力するコンテンツ出力部と、
前記データ処理部における前記データ処理の遅れを検出する処理遅れ検出部と、
前記処理遅れ検出部によって前記第１の放送信号に含まれる前記第１のデータに対する前記データ処理の遅れが検出された場合に、前記信号選択部に前記第２の放送信号を選択させる制御部と
を備えることを特徴とするデジタル放送コンテンツ出力装置。
【請求項８】
放送電波を受信して、前記放送電波に含まれるデジタル方式の放送信号を出力するデジタル放送受信部と、
前記放送信号に含まれるデータに対して所定のデータ処理を施すデータ処理部と、
前記データ処理部によって前記データ処理が施されたデータに基づくコンテンツを出力するコンテンツ出力部と、
前記データ処理部によって第１の帯域幅を有する第１の放送信号に含まれる第１のデータに対して前記データ処理が施される場合に、前記データ処理の遅れが発生するか否かを判断する処理遅れ判断部と、
前記データ処理が施されるデータを含む放送信号として、前記第１の放送信号および前記第１の帯域幅より狭い第２の帯域幅を有するとともに第２のデータを含む第２の放送信号のいずれか一方を選択する信号選択部と、
前記処理遅れ判断部の判断に基づいて、前記信号選択部に前記第１、第２の放送信号のいずれか一方を選択させる制御部と
を備えることを特徴とするデジタル放送コンテンツ出力装置。
【請求項９】
前記データ処理部によって前記第１の帯域幅を有する前記第１の放送信号に含まれる前記第１のデータに対して前記データ処理が施される場合に、前記データ処理の遅れが発生するか否かを判断するために、前記データ処理部にテスト用データに対して前記データ処理を施させるテスト処理部を備える
ことを特徴とする請求項８に記載のデジタル放送コンテンツ出力装置。
【発明の詳細な説明】
【技術分野】
【０００１】
本発明は、受信したデジタル放送信号に含まれるデータに対して所定のデータ処理を施し、データ処理が施されたデータに基づくコンテンツを出力するデジタル放送コンテンツ出力方法、デジタル放送コンテンツ出力システム及びデジタル放送コンテンツ出力装置に関する。
【背景技術】
【０００２】
近年、パーソナルコンピュータ（以下、「パソコン」と言う。）は、高度なＡＶ（Audio Visual）機能を搭載しており、ＴＶ放送受信用の装置であるチューナーモジュールをパソコンに接続することで、パソコンのディスプレイ上に放送番組コンテンツを表示させて視聴することが一般的になっている。また、ＴＶ放送は、アナログ放送からデジタル放送に移行しており、パソコンに接続して使用されるチューナーモジュールも、デジタル放送用の商品が販売され始めている。
【０００３】
また、日本の地上波を用いたデジタル放送（以下、「地上波デジタル放送」と言う。）の方式としては、１つのチャンネルあたりの帯域を１３個のセグメント（約４３０ｋＨｚ帯域を有する送信単位）に分割し、これらのセグメントをいくつか束ねた状態で、映像データや音声データ等を送信する方式が採用されている。
【０００４】
また、地上波デジタル放送において使用される放送電波に含まれる放送信号には、デジタル方式の放送信号としてＨＤＴＶ（High Definition Television）方式（ハイビジョン方式）またはＳＤＴＶ（Standard Definition Television）方式（標準方式）の放送信号が含まれている。さらに、地上波デジタル放送において使用される放送電波に含まれる放送信号には、ハイビジョン方式および標準方式の放送信号に比し、帯域幅が狭いデジタル方式の放送信号として簡易動画方式（ワンセグ方式）の放送信号が含まれている。
【０００５】
このうち、ハイビジョン方式は、上述の１３個のセグメント（即ち、１３セグメント）のうち、１２個のセグメント（即ち、１２セグメント）を使用して、映像データや音声データ等を送信する方式であり、標準方式は、１３セグメントのうち、４個のセグメント（即ち、４セグメント）を使用して、映像データや音声データ等を送信する方式である。また、ワンセグ方式は、上述の１３セグメントのうち、１個のセグメント（即ち、１セグメント）を使用して、映像データや音声データ等を送信する方式である。このように、ハイビジョン方式は、標準方式およびワンセグ方式に比し、使用する放送信号の帯域幅が広いため、高精細な映像等を伝送することができる。一方、ワンセグ方式は、ハイビジョン方式および標準方式に比し、使用する放送信号の帯域幅が狭いため、ハイビジョン方式や標準方式によって伝送される映像に比べて低画質の映像しか伝送できないが、ハイビジョン方式および標準方式に比し、携帯電話などのモバイル受信端末向けに適しているという特徴がある。
【０００６】
そして、このような地上波デジタル放送を受信するデジタル放送受信装置として、地上波デジタル放送受信用のチューナーモジュールと、このチューナーモジュールに接続して使用されるパソコンにより構成されるものが開示されている。このデジタル放送受信装置は、放送局から送信された放送電波を受信して、放送電波に含まれるデジタル方式の放送信号（以下、「デジタル放送信号」という。）に対して所定の処理を行ない、映像を表示するとともに、音声を鳴動させる。より具体的には、チューナーモジュールにおいて、まず、専用のアンテナを介して受信した地上波デジタル放送の放送電波に含まれるデジタル放送信号の中から、所望のチャンネルに対応するデジタル放送信号をチューナーによって選択する。次いで、選択したデジタル放送信号に対して、復調、符号誤り訂正等を行い、次いで、デスクランブル処理を行う。次いで、スクランブルが解除されたデジタル放送信号を暗号化して、汎用のインターフェースを介して、パソコンへ伝送する。次いで、パソコンにおいて、暗号化されたデジタル放送信号（トランスポート・ストリーム）を復号化するとともに、ＭＰＥＧ―２方式に基づいて圧縮された放送番組コンテンツ（映像データと音声データ）を伸長する。そして、映像データに基づく映像をディスプレイに表示させるとともに、音声データに基づく音声をスピーカにて鳴動させる構成となっている（例えば、特許文献１参照）。
【特許文献１】特開２００６−７４６８６号公報
【発明の開示】
【発明が解決しようとする課題】
【０００７】
ここで、地上波デジタル放送を視聴する際には、暗号化されたデジタル放送信号を復号化する処理や、ＭＰＥＧ−２方式に基づいて圧縮されている映像データと音声データを伸長する等の所定のデータ処理を行う必要があり、パソコンの処理能力が不足していた場合にこれらのデータ処理が遅れてしまう。即ち、パソコンの処理能力は有限であり、パソコンにおいて複数のプログラムが同時に実行された場合、地上波デジタル放送を視聴するために必要とされる上述のデータ処理に割り当てられるリソース（資源）が不足して、適切なタイミングでデータ処理を行うことができなくなる。その結果、ディスプレイやスピーカ等における映像や音声等のコンテンツの出力（表示、再生）が途切れてしまう不都合があった。
【０００８】
そこで、本発明は、上述の問題に鑑みてなされたものであり、デジタル放送を視聴する際に、コンテンツの出力が途切れることを抑制することができるデジタル放送コンテンツ出力方法、デジタル放送コンテンツ出力システム及びデジタル放送コンテンツ出力装置を提供することを目的とする。
【課題を解決するための手段】
【０００９】
請求項１に記載の発明は、デジタル方式の放送信号を受信し、データ処理部によって放送信号に含まれるデータに対して所定のデータ処理を施し、コンテンツ出力部によってデータ処理が施されたデータに基づくコンテンツを出力するデジタル放送コンテンツ出力方法であって、第１の帯域幅を有する第１の放送信号に含まれる第１のデータに対してデータ処理を施すデータ処理ステップと、データ処理ステップにおける前記データ処理の遅れを検出する処理遅れ検出ステップと、処理遅れ検出ステップにおいてデータ処理の遅れを検出した場合、データ処理部においてデータ処理が施されるデータとして、第１の帯域幅よりも狭い第２の帯域幅を有する第２の放送信号に含まれる第２のデータを選択する選択ステップと、選択ステップにおいて選択された第２のデータに対してデータ処理を施して、データ処理が施された第２のデータに基づくコンテンツを出力するコンテンツ出力ステップとを備えることを特徴とする。
【００１０】
同構成によれば、第１の帯域幅を有する第１の放送信号に含まれる第１のデータに対してデータ処理が施されて、データ処理の遅れを検出した場合に、第１の帯域幅よりも狭い第２の帯域幅を有する第２の放送信号に含まれる第２のデータに対してデータ処理が施される。従って、第１のデータに基づくコンテンツの出力が途切れる場合であっても、第２のデータに対してデータ処理が行われるため、第２のデータに基づくコンテンツを出力して、デジタル放送を視聴する際に、コンテンツの出力が途切れることを抑制することができる。
【００１１】
請求項２に記載の発明は、デジタル方式の放送信号を受信し、データ処理部によって放送信号に含まれるデータに対して所定のデータ処理を施し、コンテンツ出力部によってデータ処理が施されたデータに基づくコンテンツを出力するデジタル放送コンテンツ出力方法であって、データ処理部において第１の帯域幅を有する第１の放送信号に含まれる第１のデータに対してデータ処理を施す場合に、データ処理の遅れが発生するか否かを判断する処理遅れ判断ステップと、処理遅れ判断ステップにおける判断に基づいて、データ処理部においてデータ処理が施されるデータとして、第１のデータおよび第１の帯域幅よりも狭い第２の帯域幅を有する第２の放送信号に含まれる第２のデータのいずれか一方を選択する選択ステップと、選択ステップにおいて選択されたデータに対してデータ処理を施して、データ処理が施されたデータに基づくコンテンツを出力するコンテンツ出力ステップとを備えることを特徴とする。
【００１２】
同構成によれば、データ処理の遅れが発生するか否かの判断に基づいて、第１の帯域幅を有する第１の放送信号に含まれる第１のデータおよび第１の帯域幅より狭い第２の帯域幅を有する第２の放送信号に含まれる第２のデータのいずれか一方に対してデータ処理が施される。従って、第１のデータに基づくコンテンツの出力が途切れる場合であっても、第２のデータに対してデータ処理が行われるため、第２のデータに基づくコンテンツを出力して、デジタル放送を視聴する際に、コンテンツの出力が途切れることを防止することができる。
【００１３】
請求項３に記載の発明は、請求項２に記載のデジタル放送コンテンツ出力方法であって、データ処理部において第１の帯域幅を有する第１の放送信号に含まれる第１のデータに対してデータ処理を施す場合に、データ処理の遅れが発生するか否かを判断するために、テスト用データに対してデータ処理を施すテスト処理ステップを備えることを特徴とする。
【００１４】
同構成によれば、テスト用データに対してデータ処理を施すため、テスト用データに対するデータ処理に基づいて、データ処理の遅れが発生するか否かの判断を正確に行うことができる。
【００１５】
請求項４に記載の発明は、放送電波を受信して、放送電波に含まれるデジタル方式の放送信号を出力するデジタル放送受信装置と、デジタル放送受信装置に接続され、デジタル放送受信装置から出力された放送信号に含まれるデータに対して所定のデータ処理を施すとともに、データ処理が施されたデータに基づくコンテンツを出力するデジタル放送コンテンツ出力装置とを備えたデジタル放送コンテンツ出力システムであって、デジタル放送コンテンツ出力装置は、第１の帯域幅を有するとともに第１のデータを含む第１の放送信号および第１の帯域幅より狭い第２の帯域幅を有するとともに第２のデータを含む第２の放送信号のいずれか一方を選択する信号選択部と、信号選択部によって選択された放送信号に含まれるデータに対してデータ処理を施すデータ処理部と、データ処理部によってデータ処理が施されたデータに基づくコンテンツを出力するコンテンツ出力部と、データ処理部におけるデータ処理の遅れを検出する処理遅れ検出部と、処理遅れ検出部によって第１の放送信号に含まれる第１のデータに対するデータ処理の遅れが検出された場合に、信号選択部に第２の放送信号を選択させる制御部とを備えることを特徴とする。
【００１６】
同構成によれば、第１の帯域幅を有する第１の放送信号に含まれる第１のデータに対してデータ処理が施されて、データ処理の遅れを検出した場合に、第１の帯域幅よりも狭い第２の帯域幅を有する第２の放送信号に含まれる第２のデータに対してデータ処理が施される。従って、第１のデータに基づくコンテンツの出力が途切れる場合であっても、第２のデータに対してデータ処理が行われるため、第２のデータに基づくコンテンツを出力して、デジタル放送を視聴する際に、コンテンツの出力が途切れることを抑制することができる。
【００１７】
請求項５に記載の発明は、放送電波を受信して、放送電波に含まれるデジタル方式の放送信号を出力するデジタル放送受信装置と、デジタル放送受信装置に接続され、デジタル放送受信装置から出力された放送信号に含まれるデータに対して所定のデータ処理を施すとともに、データ処理が施されたデータに基づくコンテンツを出力するデジタル放送コンテンツ出力装置とを備えたデジタル放送コンテンツ出力システムであって、デジタル放送受信装置は、放送信号に含まれるデータに対してデータ処理を施すデータ処理部と、データ処理部によってデータ処理が施されたデータに基づくコンテンツを出力するコンテンツ出力部と、データ処理部によって第１の帯域幅を有する第１の放送信号に含まれる第１のデータに対してデータ処理が施される場合に、データ処理の遅れが発生するか否かを判断する処理遅れ判断部と、データ処理が施されるデータを含む放送信号として、第１の放送信号および第１の帯域幅より狭い第２の帯域幅を有するとともに第２のデータを含む第２の放送信号のいずれか一方を選択する信号選択部と、処理遅れ判断部の判断に基づいて、信号選択部に第１、第２の放送信号のいずれか一方を選択させる制御部とを備えることを特徴とする。
【００１８】
同構成によれば、データ処理の遅れが発生するか否かの判断に基づいて、第１の帯域幅を有する第１の放送信号に含まれる第１のデータおよび第１の帯域幅より狭い第２の帯域幅を有する第２の放送信号に含まれる第２のデータのいずれか一方に対してデータ処理が施される。従って、第１のデータに基づくコンテンツの出力が途切れる場合であっても、第２のデータに対してデータ処理が行われるため、第２のデータに基づくコンテンツを出力して、デジタル放送を視聴する際に、コンテンツの出力が途切れることを防止することができる。
【００１９】
請求項６に記載の発明は、請求項５に記載のデジタル放送コンテンツ出力システムであって、データ処理部によって第１の帯域幅を有する第１の放送信号に含まれる第１のデータに対してデータ処理が施される場合に、データ処理の遅れが発生するか否かを判断するために、データ処理部にテスト用データに対してデータ処理を施させるテスト処理部を備えることを特徴とする。
【００２０】
同構成によれば、テスト用データに対してデータ処理を施すため、テスト用データに対するデータ処理に基づいて、データ処理の遅れが発生するか否かの判断を正確に行うことができる。
【００２１】
請求項７に記載の発明は、放送電波を受信して、放送電波に含まれるデジタル方式の放送信号を出力するデジタル放送受信部と、第１の帯域幅を有するとともに第１のデータを含む第１の放送信号および第１の帯域幅より狭い第２の帯域幅を有するとともに第２のデータを含む第２の放送信号のいずれか一方を選択する信号選択部と、信号選択部によって選択された放送信号に含まれるデータに対して所定のデータ処理を施すデータ処理部と、データ処理部によってデータ処理が施されたデータに基づくコンテンツを出力するコンテンツ出力部と、データ処理部におけるデータ処理の遅れを検出する処理遅れ検出部と、処理遅れ検出部によって第１の放送信号に含まれる第１のデータに対するデータ処理の遅れが検出された場合に、信号選択部に第２の放送信号を選択させる制御部とを備えることを特徴とする。
【００２２】
同構成によれば、第１の帯域幅を有する第１の放送信号に含まれる第１のデータに対してデータ処理が施されて、データ処理の遅れを検出した場合に、第１の帯域幅よりも狭い第２の帯域幅を有する第２の放送信号に含まれる第２のデータに対してデータ処理が施される。従って、第１のデータに基づくコンテンツの出力が途切れる場合であっても、第２のデータに対してデータ処理が行われるため、第２のデータに基づくコンテンツを出力して、デジタル放送を視聴する際に、コンテンツの出力が途切れることを抑制することができる。
【００２３】
請求項８に記載の発明は、放送電波を受信して、放送電波に含まれるデジタル方式の放送信号を出力するデジタル放送受信部と、放送信号に含まれるデータに対して所定のデータ処理を施すデータ処理部と、データ処理部によってデータ処理が施されたデータに基づくコンテンツを出力するコンテンツ出力部と、データ処理部によって第１の帯域幅を有する第１の放送信号に含まれる第１のデータに対してデータ処理が施される場合に、データ処理の遅れが発生するか否かを判断する処理遅れ判断部と、データ処理が施されるデータを含む放送信号として、第１の放送信号および第１の帯域幅より狭い第２の帯域幅を有するとともに第２のデータを含む第２の放送信号のいずれか一方を選択する信号選択部と、処理遅れ判断部の判断に基づいて、信号選択部に第１、第２の放送信号のいずれか一方を選択させる制御部とを備えることを特徴とする。
【００２４】
同構成によれば、データ処理の遅れが発生するか否かの判断に基づいて、第１の帯域幅を有する第１の放送信号に含まれる第１のデータおよび第１の帯域幅より狭い第２の帯域幅を有する第２の放送信号に含まれる第２のデータのいずれか一方に対してデータ処理が施される。従って、第１のデータに基づくコンテンツの出力が途切れる場合であっても、第２のデータに対してデータ処理が行われるため、第２のデータに基づくコンテンツを出力して、デジタル放送を視聴する際に、コンテンツの出力が途切れることを防止することができる。
【００２５】
請求項９に記載の発明は、請求項８に記載のデジタル放送コンテンツ出力装置であって、データ処理部によって第１の帯域幅を有する第１の放送信号に含まれる第１のデータに対してデータ処理が施される場合に、データ処理の遅れが発生するか否かを判断するために、データ処理部にテスト用データに対してデータ処理を施させるテスト処理部を備えることを特徴とする。
【００２６】
同構成によれば、テスト用データに対してデータ処理を施すため、テスト用データに対するデータ処理に基づいて、データ処理の遅れが発生するか否かの判断を正確に行うことができる。
【発明の効果】
【００２７】
本発明によれば、デジタル放送を視聴する際に、映像や音声が途切れることを抑制することができる。
【発明を実施するための最良の形態】
【００２８】
（第１の実施形態）
以下に本発明の第１の実施形態について、図１〜図３を参照しながら説明する。
図１に示すように、本実施形態に係るデジタル放送コンテンツ出力システム１は、デジタル放送信号（以下、単に「放送信号」または「信号」という場合がある。）を受信するデジタル放送受信装置であるチューナーモジュール１０と、チューナーモジュール１０が接続される電子機器であるデジタル放送コンテンツ出力装置としてのパソコン２０とを備えている。
【００２９】
チューナーモジュール１０は、デジタル放送信号を受信するアンテナ１１と、アンテナ１１が受信したデジタル放送信号のうち、所望のチャンネルに対応するデジタル放送信号を選択するチューナー部１２と、チューナー部１２により選局された信号を復調し、誤り符号訂正を行う復調部１３とを備えている。さらに、チューナーモジュール１０は、復調された信号のスクランブルを解除するデスクランブル処理部１４と、ＩＣカード４が接続されるＩＣカードインターフェース１５と、デスクランブルされた信号を暗号化する暗号化処理部１６と、暗号化された信号をパソコン２０へ伝送するためのインターフェース１７とを備えている。
【００３０】
パソコン２０は、暗号化された信号が入力されるインターフェースコントローラ２１と、ハイビジョン方式の信号とワンセグ方式の信号のいずれか一方を選択する信号選択部２２と、暗号化されている信号選択部２２によって選択された信号を復号する復号化処理部２３と、復号化された信号を、各種データに分離する多重分離部２４とを備えている。さらに、パソコン２０は、分離された映像データおよび音声データに対してデコード処理を施すデータデコード部２５と、デコード処理が施された映像データに基づいて映像を表示するディスプレイ２６と、デコード処理が施された音声データに基づいて音声を再生する（音声が鳴動される）スピーカ２７とを備えている。上述した復号化処理部２３と多重分離部２４とデータデコード部２５は、信号選択部２２によって選択された放送信号のデータに対して所定のデータ処理を施すデータ処理部２８を形成している。また、ディスプレイ２６とスピーカ２７は、データ処理部２８によって所定のデータ処理（復号化処理、分離処理、デコード処理）が施されたデータ（映像データ、音声データ）に基づくコンテンツ（映像、音声）を出力（表示、再生）するコンテンツ出力部２９を形成している。
【００３１】
また、パソコン２０は、メモリ３０ａを用いて制御プログラムに基づき各部２１〜２５等の制御を行うＣＰＵ３０と、制御プログラムをインストールするためのインストール手段３１と、制御プログラムを記憶するための記憶部であるハードディスク３２と、ユーザーが入力操作を行うためのキーボード３３とを備えている。インストール手段３１は、図１に示すように、ＣＤ／ＤＶＤドライブ装置３１ａと、ＬＡＮコントローラ３１ｂにより構成されている。ＣＤ／ＤＶＤドライブ装置３１ａを使用する場合は、ＣＤ／ＤＶＤドライブ装置３１ａを介して、チューナーモジュール１０に付属のＣＤやＤＶＤに記憶された上述の制御プログラムが、ハードディスク３２に記憶されることによりインストールされる。一方、ＬＡＮコントローラ３１ｂを使用する場合は、図示しない通信ケーブルによりネットワーク回線に接続される通信コネクタ３４を介して取得された上述の制御プログラムが、ＬＡＮコントローラ３１ｂを介してハードディスク３２に記憶されることによりインストールされる。
【００３２】
次に、チューナーモジュール１０の動作について説明する。
まず、アンテナ１１が、放送局や衛星から送られてくる放送電波を受信し、受信した放送電波に含まれるデジタル放送信号をチューナー部１２へ出力する。なお、デジタル放送における映像データ、音声データ等の各データは、ＭＰＥＧ−２Ｓｙｓｔｅｍｓに準拠して多重化されており、デジタル放送信号は、各データがパケット単位で多重化されたＴＳ（Transport Stream）形式の信号となっている。また、１つのチャンネルに対応するデジタル放送信号には、第１の放送信号と第２の放送信号が含まれている。この第１の放送信号は、第１の帯域幅を有するとともに、第２の放送信号は、第１の帯域幅より狭い第２の帯域幅を有する。
【００３３】
より具体的には、１つのチャンネルに対応するデジタル放送信号は、所定の帯域幅（約５．６ＭＨｚ）を有するとともに、この帯域幅は１３セグメントに分割されている。そして、１つの放送局が使用するデジタル放送信号には、上述の１３セグメントのうち１２セグメントを使用した放送信号である第１の放送信号と、上述の１３セグメントのうち１セグメントを使用した放送信号である第２の放送信号とが含まれている。なお、第１の放送信号（以下、「ハイビジョン方式の放送信号」という。）には、ＭＰＥＧ−２Ｖｉｄｅｏ方式により圧縮符号化された第１の映像データが含まれるとともに、第２の放送信号（以下、「ワンセグ方式の信号」という。）には、ＭＰＥＧ−４ＡＶＣ方式（Ｈ．２６４方式）により圧縮符号化された第２の映像データが含まれている。また、ハイビジョン方式の放送信号、およびワンセグ方式の放送信号の各々には、ＭＰＥＧ−２ＡＡＣ方式により圧縮符号化された音声データが含まれている。
【００３４】
チューナー部１２は、アンテナ１１から入力されたデジタル放送信号において、ユーザーが指定したチャンネルに対応するデジタル放送信号（この場合、ハイビジョン方式の放送信号とワンセグ方式の放送信号の双方）を選択して、復調部１３へ出力する。即ち、チューナー部１２は、映像データや音声データを含むデジタル放送信号のうち、特定周波数のデジタル放送信号を取り出して、復調部１３へと出力する。
【００３５】
復調部１３は、チューナー部１２により選択されたデジタル放送信号を復調するとともに、伝送路で発生する誤り符号訂正を行い、ＴＳ形式のデジタル放送信号をデスクランブル処理部１４へ出力する。
【００３６】
ＴＳ形式の信号は、ＴＳパケット（Transport Stream Packet）が隙間なく連続したものであり、多数の個別の符号化ストリームがＴＳパケットと呼ばれる短い伝送単位で、時分割多重化されているものである。このＴＳパケットは、図２に示すように、１８８バイトの固定長のパケットであり、４バイトの固定長のヘッダーと、１８４バイトのペイロード、アダプテーションフィールド、またはペイロードとアダプテーションフィールドが混在した構成となっている。また、ＴＳパケットは、ＰＥＳ（Packetized Elementary Stream）形式またはセクション形式のデータが分割されたものに上述のヘッダーが付加されたものであり、１つ以上のＴＳパケットにより１つのＰＥＳ形式またはセクション形式のデータ（映像データ、音声データ）を構成することができる。なお、ＰＥＳ形式のデータはペイロードに含まれている。
【００３７】
デスクランブル処理部１４は、ＴＳ形式のデジタル放送信号にスクランブルが施されている場合に、このスクランブルを、ＩＣカードインターフェース１５に接続されたＩＣカード４から得られるデスクランブルキー（解除鍵）によって解除する処理を行う。スクランブルが解除されたデジタル放送信号は、暗号化処理部１６へ出力される。
【００３８】
そして、暗号化処理部１６により、デジタル放送信号は、ＤＥＳ（Data Encryption Standard）、ＡＥＳ（Advanced Encryption Standard）等の所定の方式により暗号化される（即ち、デジタル放送信号のデータに対して暗号化処理が施される）。暗号化されたデジタル放送信号は、汎用のインターフェース１７（例えば、ＵＳＢ２．０）を介して、パソコン２０へと出力される。なお、チューナーモジュール１０は、チューナー部１２、復調部１３、デスクランブル処理部１４、ＩＣカードインターフェース１５、および暗号化処理部１６の各部の制御を行う制御手段としてのＣＰＵ１８を備えており、ＣＰＵ１８は、パソコン２０のＣＰＵ３０からの指示に従い、これら各部の制御を行う。
【００３９】
次に、上述のインストールされた制御プログラムに基づく、チューナーモジュール１０を介してデジタル放送信号を受信するパソコン２０の動作について説明する。
チューナーモジュール１０により暗号化されたデジタル放送信号は、インターフェースコントローラ２１に入力され、信号選択部２２を介して、復号化処理部２３に入力される。復号化処理部２３は、上述のＤＥＳ、ＡＥＳ等の所定の形式で暗号化されたデジタル放送信号を復号し（即ち、デジタル放送信号のデータに対してデータ処理である復号化処理を施し）、復号化されたＴＳ形式のデジタル放送信号を多重分離部２４へと出力する。
【００４０】
多重分離部２４は、ＴＳ形式の信号であるデジタル放送信号を、映像データ、音声データ、番組情報であるＰＳＩ／ＳＩ（Program Specific Information/Service Information）等に分離する。即ち、デジタル放送信号のデータに対してデータ処理であるデータ分離処理を施す。そして、多重分離部２４によって、分離された映像データおよび音声データは、データデコード部２５へ出力される。
【００４１】
データデコード部２５は、ＭＰＥＧ−２Ｖｉｄｅｏ方式またはＭＰＥＧ−４ＡＶＣ方式（Ｈ．２６４方式）に基づいて圧縮符号化されている映像データに対してデコード処理を施すことにより、圧縮されている映像データを元の映像データに伸長する。そして、データデコード部２５は、フレームバッファメモリであるＶＲＡＭ２５ａを用いて、映像データに基づく映像をディスプレイ２６に表示させる。また、データデコード部２５は、ＭＰＥＧ−２ＡＡＣ方式に基づいて圧縮符号化されている音声データに対してデコード処理を施すことにより、圧縮されている音声データを元の音声データに伸長する。そして、データデコード部２５は、音声データに基づく音声をスピーカ２７に再生させる。このようにして、データ処理部２８（復号化処理部２３と多重分離部２４とデータデコード部２５）によって所定のデータ処理が施されたデータに基づくコンテンツ（映像、音声）（即ち、ハイビジョン方式またはワンセグ方式のコンテンツ）が、コンテンツ出力部２９によって出力（表示、再生）される。
【００４２】
ここで、本実施形態においては、ユーザーがデジタル放送を視聴する（即ち、ハイビジョン方式のコンテンツを出力する）際に、ハイビジョン方式のデジタル放送信号に対するデータ処理の遅れを検出した場合に、ワンセグ方式のコンテンツを出力する点に特徴がある。以下、本実施形態に係るデジタル放送コンテンツ出力システム１におけるデジタル放送コンテンツ出力方法を、図３と図４を参照して、詳しく説明する。
【００４３】
図１に示すように、パソコン２０は、データ処理部２８におけるデータ処理の遅れを検出する処理遅れ検出部３５と、データ処理部２８によってデータ処理を施すデータを有する放送信号として、ハイビジョン方式の放送信号およびワンセグ方式の放送信号のいずれか一方を選択する信号選択部２２を備えている。なお、これらの処理遅れ検出部３５と信号選択部２２は、制御手段であるＣＰＵ３０に接続されており、ＣＰＵ３０が、上述の制御プログラムに基づいて、信号選択部２２の制御を行う。
【００４４】
そして、図３に示すように、本実施形態におけるデジタル放送コンテンツ出力システム１において、デジタル放送の視聴を行う際には、まず、ユーザーによるキーボード３３の入力操作によって、ユーザーが希望する番組の視聴を行う旨の指示が、ＣＰＵ３０に入力される（ステップＳ１）。次いで、ＣＰＵ３０は、信号選択部２２を制御するための制御信号を出力し、ハイビジョン方式のコンテンツをユーザーに提示するために、信号選択部２２がハイビジョン方式のデジタル放送信号を選択する（ステップＳ２）。ステップＳ２において、ハイビジョン方式のデジタル放送信号が選択されたことに伴い、データ処理部２８によりハイビジョン方式のデジタル放送信号に含まれるデータに対して所定のデータ処理が施され、ハイビジョン方式のコンテンツがディスプレイ２６またはスピーカ２７にて出力される（ステップＳ３）。即ち、ステップＳ３は、ハイビジョン方式の放送信号に含まれるデータに対してデータ処理を施すデータ処理ステップである。
【００４５】
次いで、ステップＳ３におけるデータ処理の遅れを、処理遅れ検出部３５が検出し、その検出の結果に基づいて、ハイビジョン方式のコンテンツを視聴する際に、コンテンツの出力が途切れたか否かを判断する（ステップＳ４）。即ち、ステップＳ４は、ステップＳ３におけるデータ処理の遅れを検出する処理遅れ検出ステップである。
【００４６】
より具体的には、処理遅れ検出部３５は、ＰＥＳ形式の映像データのヘッダーに含まれるＰＴＳ（Presentation Time Stamp）またはＤＴＳ（Decoding Time Stamp）と、ＳＴＣ（System Time Clock）とを比較することにより処理遅れを検出する。即ち、ＰＴＳは、映像データに基づく映像がディスプレイに表示されるべき時刻を示し、ＤＴＳは、映像データがデコードされるべき時刻を示している。ＳＴＣは、２７ＭＨｚで動作する９ビットの下位カウンタと、９０ｋＨｚで動作する３３ビットの上位カウンタで構成される計時部である基準時計３０ｂであり、ＰＴＳとＳＴＣの基準となる時計であり。なお、送信側（即ち、放送局側）と受信側（即ち、ユーザー側）のＳＴＣを同期させるために、ＳＴＣの校正データであるＰＣＲ（Program Clock Reference）が、１００ｍｓ以内の伝送周期で、ＴＳパケットのアダプテーションフィールドによって伝送されている。従って、多重分離部２４によって出力されたＰＥＳ形式の映像データに含まれるＰＴＳまたはＤＴＳの示す時刻が、ＳＴＣの示す時刻を過ぎている場合は、そのＰＥＳ形式の映像データがデータデコード部２５によってデータ処理を施す時刻が適切でない。その結果、その映像データに基づく映像は、ディスプレイに表示されず、映像が途切れることになる。従って、処理遅れ検出部３５は、ＰＴＳまたはＤＴＳとＳＴＣとを比較して、ＰＴＳまたはＤＴＳの示す時刻が、ＳＴＣの示す時刻を過ぎている場合は、データ処理の遅れを検出し、映像データに基づく映像の表示が途切れたと判断する。一方、処理遅れ検出部３５は、ＰＴＳまたはＤＴＳとＳＴＣとを比較して、ＰＴＳまたはＤＴＳの示す時刻が、ＳＴＣの示す時刻を過ぎていない場合は、データ処理部２８におけるデータ処理が適切なタイミングで行われているため、映像データに基づく映像は途切れないと判断する。
【００４７】
次いで、ＣＰＵ３０は、ステップＳ４における処理遅れ検出部による検出の結果に基づいて制御信号を出力し、ハイビジョン方式の信号とワンセグ方式の信号のいずれか一方を選択するように、信号選択部２２を制御する。
【００４８】
より具体的には、ステップＳ４において処理遅れ検出部３５がデータ処理の遅れを検出しない場合は、ＣＰＵ３０は、信号選択部２２がハイビジョン方式の信号を選択した状態を維持するように、信号選択部２２を制御するための制御信号を出力する。そして、信号選択部２２は、ハイビジョン方式の信号を選択し（ステップＳ５）、ハイビジョン方式の信号に含まれるデータに対して所定のデータ処理が施されて、ハイビジョン方式のコンテンツが出力される（ステップＳ６）。一方、ステップＳ４において処理遅れ検出部３５がデータ処理の遅れを検出した場合は、ＣＰＵ３０が、信号選択部２２がワンセグ方式の信号を選択するように、信号選択部２２を制御するための制御信号を出力する。そして、信号選択部２２は、ワンセグ方式の信号を選択し（ステップＳ７）、ワンセグ方式の信号に含まれるデータに対して所定のデータ処理が施されて、ワンセグ方式のコンテンツが出力される。（ステップＳ８）。即ち、ステップＳ７は、ステップＳ４においてデータ処理の遅れを検出した場合、データ処理部２８においてデータ処理が施されるデータとして、ワンセグ方式に含まれるデータを選択する選択ステップである。また、ステップＳ８は、ステップＳ７において選択されたワンセグ方式に含まれるデータに対してデータ処理を施して、ワンセグ方式のコンテンツを出力するコンテンツ出力ステップである。このように、ステップＳ４においてデータ処理の遅れが検出された場合は、ステップＳ７，Ｓ８を経て、後述するステップＳ１１へ移行する。
【００４９】
次いで、ステップＳ４においてデータ処理の遅れが検出されなかった場合は、ステップＳ５，Ｓ６を経て、ＣＰＵ３０は、ユーザーによるキーボード３３の入力操作によって、ユーザーが視聴を終了する旨の指示が入力されたか否かを判断する（ステップＳ９）。ステップＳ９において、視聴を終了する旨の指示が入力されていないと判断した場合、上述のステップＳ４以降が繰り返される。一方、ステップＳ９において、視聴を終了する旨の指示が入力されていると判断した場合は、コンテンツの出力が停止され（ステップＳ１０）、視聴が終了される。
【００５０】
ところで、ステップＳ４においてデータ処理の遅れが検出された場合は、ステップＳ７，Ｓ８を経てワンセグ方式のコンテンツが視聴されることになる。ステップＳ１１においては、ＣＰＵ３０によって、ハイビジョン方式のコンテンツを視聴する場合にコンテンツの出力が途切れるか否かが判断される（ステップＳ１１）。そして、ステップＳ１１以降においては、この判断結果に基づいて、制御信号を出力し、ハイビジョン方式の信号とワンセグ方式の信号のいずれか一方を選択するように、信号選択部２２を制御する。即ち、データ処理部２８を制御するＣＰＵ３０が行っている処理は時刻により異なり、ステップＳ４においてデータ処理の遅れが検出された時刻以外においては、データ処理の遅れが発生せず、映像および音声が途切れない可能性もある。従って、ハイビジョン方式のコンテンツからワンセグ方式のコンテンツを出力するように制御した後に、再びハイビジョン方式のコンテンツを出力するよう制御する。
【００５１】
より具体的には、パソコン２０のＣＰＵ３０の使用率が、ステップＳ４においてデータ処理の遅れが検出された時刻におけるパソコン２０のＣＰＵ３０の使用率よりも、低い状態が一定時間継続した場合は、ハイビジョン方式のコンテンツを視聴する場合にコンテンツの出力が途切れないと判断する。一方、ＣＰＵ３０の使用率が、ステップＳ４においてデータ処理の遅れが検出された時刻におけるＣＰＵ３０の使用率よりも、低い状態が一定時間継続しない場合（例えば、高い状態が継続する場合や、低い状態が一定時間よりも短い時間継続する場合）は、ハイビジョン方式のコンテンツを視聴する場合にコンテンツの出力が途切れると判断する。なお、本実施形態においては、ＣＰＵ３０の使用率が、データ処理の遅れが検出された時刻におけるＣＰＵ３０の使用率よりも、低い状態が一定時間継続した場合は、ハイビジョン方式のコンテンツを視聴する場合にコンテンツの出力が途切れないと判断するが、ＣＰＵ３０の使用率以外に基づいて判断してもよい。例えば、パソコン２０において動作しているアプリケーションが終了した場合に、ＣＰＵ３０の使用率が低下して、ハイビジョン方式のコンテンツを視聴する場合にコンテンツの出力が途切れないと判断してもよい。また、ステップＳ４においてデータ処理の遅れを検出した時刻から一定時間経過した場合に、ＣＰＵ３０の使用率が低下しており、ハイビジョン方式のコンテンツを視聴する場合にコンテンツの出力が途切れないと判断してもよい。
【００５２】
次いで、ＣＰＵ３０は、ステップＳ１１における判断に基づいて制御信号を出力し、ワンセグ方式の信号とハイビジョン方式の信号のいずれか一方を選択するように、信号選択部２２を制御する。
【００５３】
より具体的には、ステップＳ１１においてハイビジョン方式のコンテンツの出力が途切れると判断した場合は、ＣＰＵ３０は、信号選択部２２がワンセグ方式の信号を選択した状態を維持するように、信号選択部２２を制御するための制御信号を出力する。そして、信号選択部２２は、ワンセグ方式の信号を選択し（ステップＳ１２）、ワンセグ方式の放送信号に含まれるデータに対してデータ処理が施されてワンセグ方式のコンテンツが出力される（ステップＳ１３）。一方、ステップＳ１１においてハイビジョン方式のコンテンツの出力が途切れないと判断した場合は、ＣＰＵ３０が、信号選択部２２がハイビジョン方式の信号を選択するように、信号選択部２２を制御するための制御信号を出力する。そして、信号選択部２２は、ハイビジョン方式の信号を選択し（ステップＳ１４）、ハイビジョン方式の放送信号に含まれるデータに対してデータ処理が施されてハイビジョン方式のコンテンツが出力される（ステップＳ１５）。このように、ステップＳ１１においてハイビジョン方式のコンテンツの出力が途切れると判断した場合は、ステップＳ１４，Ｓ１５を経て、上述のステップＳ１１以降を繰り返す。
【００５４】
次いで、ステップＳ１１において処理遅れが発生すると判断された場合は、ステップＳ１２，Ｓ１３を経て、ＣＰＵ３０は、ユーザーによるキーボード３３の入力操作によって、ユーザーが視聴を終了する旨の指示が入力されたか否かを判断する（ステップＳ１６）。ステップＳ１６において、視聴を終了する旨の指示が入力されていないと判断した場合、上述のステップＳ１１以降が繰り返される。一方、ステップＳ１６において、視聴を終了する旨の指示が入力されていると判断した場合は、上述のステップＳ１０へ移行し、映像信号および音声信号の出力が停止され、視聴が終了される。
【００５５】
以上に説明した本実施形態によれば、以下の効果を得ることができる。
（１）本実施形態に係るデジタル放送コンテンツ出力方法は、データ処理ステップであるステップＳ３と、処理遅れ検出ステップであるステップＳ４と、選択ステップであるステップＳ７と、コンテンツ出力ステップであるステップＳ８を備えている。そして、ステップＳ３におけるデータ処理の遅れをステップＳ４において検出した場合は、ステップＳ７においてデータ処理されるデータとしてワンセグ方式の放送信号に含まれるデータが選択され、ステップＳ８においてワンセグ方式のコンテンツが出力される。このため、ハイビジョン方式の放送信号に含まれるデータに対してデータ処理が施されて、データ処理の遅れを検出した場合に、ワンセグ方式の放送信号に含まれるデータに対してデータ処理が施される。従って、ハイビジョン方式のコンテンツの出力が途切れる場合であっても、ワンセグ方式の放送信号に含まれるデータに対してデータ処理が行われるため、ワンセグ方式のコンテンツを出力して、デジタル放送を視聴する際に、コンテンツの出力が途切れることを抑制することができる。
【００５６】
（２）パソコン２０は、ハイビジョン方式の信号およびワンセグ方式の信号のいずれか一方を選択する信号選択部２２と、信号選択部２２によって選択された放送信号に含まれるデータに対してデータ処理を施すデータ処理部２８と、データ処理が施されたデータに基づくコンテンツを出力するコンテンツ出力部２９とを備えている。さらに、パソコン２０は、データ処理部２８におけるデータ処理の遅れを検出する処理遅れ検出部３５と、処理遅れ検出部３５によってハイビジョン方式の放送信号に含まれるデータに対するデータ処理の遅れが検出された場合に、信号選択部２２にワンセグ方式の信号を選択させる制御部であるＣＰＵ３０を備えている。このため、上述の（１）と同様の効果を得ることができる。
【００５７】
（第２の実施形態）
次に、本発明の第２の実施形態について、図面を参照しながら説明する。なお、上述の第１の実施形態と同一の構成については、同一の符号を示して、ここでは詳しい説明を省略する。
【００５８】
本実施形態においては、上述の第１の実施形態において説明したデータ処理の遅れを検出する処理遅れ検出部３５の代わりに、図５に示すように、データ処理の遅れが発生するか否かを判断する処理遅れ判断部３６を備えている。そして、処理遅れ判断部３６による判断に基づいて、ＣＰＵ３０が、信号選択部２２に、ハイビジョン方式の信号、およびワンセグ方式の信号のいずれか一方を選択させる。以下、本実施形態に係るデジタル放送コンテンツ出力システム１におけるデジタル放送コンテンツ出力方法を、図６と図７を参照して、詳しく説明する。
【００５９】
本実施形態におけるデジタル放送コンテンツ出力システム１において、デジタル放送の視聴を行う際には、まず、ユーザーによるキーボード３３の入力操作によって、ユーザーが希望する番組の視聴を行う旨の指示が、ＣＰＵ３０に入力される（ステップＳ２０）。次いで、処理遅れ判断部３６が、データ処理部２８においてハイビジョン方式のデータに対してデータ処理を施す場合にデータ処理の遅れが発生するか否かを判断して、ハイビジョン方式のコンテンツを視聴する場合にコンテンツの出力が途切れるか否かを判断する（ステップＳ２２）。即ち、ステップＳ２２は、データ処理部２８においてハイビジョン方式の放送信号に含まれるデータに対してデータ処理を施す場合に、データ処理の遅れが発生するか否かを判断する処理遅れ判断ステップである。
【００６０】
より具体的には、データ処理部２８を制御するＣＰＵ３０の処理性能に基づいて、データ処理の遅れが発生するか否かを判断する。即ち、ＣＰＵ３０の処理性能を示すクロック周波数が、例えば、１．５ＧＨｚ以下であれば、適切なタイミングでデータ処理を施すことができず、データ処理の遅れが発生すると判断する。一方、ＣＰＵのクロック周波数が、例えば、１．５ＧＨｚよりも大きければ、データ処理の遅れは発生しないと判断する。なお、本実施形態においては、ＣＰＵ３０のクロック周波数に基づいて、データ処理の遅れが発生するか否かを判断するが、ＣＰＵ３０の処理性能を示す拡張命令の有無、ＣＰＵコマ数、ＣＰＵバス転送速度、ＭＰＥＧ処理アクセラレータの有無、又はこれらの複合条件等に基づいて、データ処理の遅れが発生するか否かを判断してもよい。
【００６１】
次いで、ＣＰＵ３０は、ステップＳ２２における処理遅れ判断部３６による判断に基づいて制御信号を出力し、ハイビジョン方式の信号とワンセグ方式の信号のいずれか一方を選択するように、信号選択部２２を制御する。
【００６２】
より具体的には、ステップＳ２２において処理遅れ判断部３６がデータ処理の遅れが発生しないと判断した場合は、ＣＰＵ３０は、信号選択部２２がハイビジョン方式の信号を選択するように、信号選択部２２を制御するための制御信号を出力する。そして、信号選択部２２がハイビジョン方式のデジタル放送信号を選択し（ステップＳ２３）、ハイビジョン方式の信号に含まれるデータに対して所定のデータ処理が施されて、ハイビジョン方式のコンテンツが出力される（ステップＳ２４）。一方、ステップＳ２２において処理遅れ判断部３６がデータ処理の遅れが発生すると判断した場合は、ＣＰＵ３０が、信号選択部２２がワンセグ方式の信号を選択するように、信号選択部２２を制御するための制御信号を出力する。そして、信号選択部２２がワンセグ方式の信号を選択し（ステップＳ２５）、ワンセグ方式の信号に含まれるデータに対して所定のデータ処理が施されて、ワンセグ方式のコンテンツが出力される（ステップＳ２６）。即ち、ステップＳ２３，Ｓ２５は、ステップＳ２２における判断に基づいて、データ処理部２８においてデータ処理が施されるデータとして、ハイビジョン方式の放送信号に含まれるデータおよびワンセグ方式の放送信号に含まれるデータのいずれか一方を選択する選択ステップである。また、ステップＳ２４，Ｓ２６は、ステップＳ２３，２５において選択されたデータに対してデータ処理を施して、データ処理が施されたデータに基づくコンテンツを出力するコンテンツ出力ステップである。このように、ステップＳ２２においてデータ処理の遅れが発生すると判断された場合は、ステップＳ２５，Ｓ２６を経て、後述するステップＳ２９へ移行する。
【００６３】
次いで、ステップＳ２２においてデータ処理の遅れが発生しないと判断された場合は、ステップＳ２３，Ｓ２４を経て、ＣＰＵ３０は、ユーザーによるキーボード３３の入力操作によって、ユーザーが視聴を終了する旨の指示が入力されたか否かを判断する（ステップＳ２７）。ステップＳ２７において、視聴を終了する旨の指示が入力されていないと判断した場合、上述のステップＳ２４以降が繰り返される。一方、ステップＳ２７において、視聴を終了する旨の指示が入力されていると判断した場合は、コンテンツの出力が停止され（ステップＳ２８）、視聴が終了される。
【００６４】
ステップＳ２２においてデータ処理の遅れが発生したと判断された場合は、ステップＳ２５，Ｓ２６を経て、図７に示すステップＳ２９へ移行するが、ステップＳ２９〜ステップＳ３３の各々は、上記第１の実施形態におけるステップＳ１１〜ステップＳ１６と同様のデジタル放送コンテンツ出力方法であるため、ここでは説明を省略する。なお、本実施形態においては、ステップＳ２６を経た場合は、上述のステップＳ２２へ移行する。また、ステップＳ３４において視聴を終了する旨の指示が入力されていると判断した場合は、上述のステップＳ２８へ移行し、コンテンツの出力が停止され、視聴が終了される。
【００６５】
以上に説明した本実施形態によれば、以下の効果を得ることができる。
（３）本実施形態に係るデジタル放送コンテンツ出力方法は、処理遅れ判断ステップであるステップＳ２２と、選択ステップであるステップＳ２３，Ｓ２５と、コンテンツ出力ステップであるステップＳ２４，２６とを備えている。ステップＳ２２におけるデータ処理の遅れが発生するか否かの判断に基づいて、ステップＳ２３，２５においてデータ処理部においてデータ処理が施されるデータとして、ハイビジョン方式の放送信号に含まれるデータおよびワンセグ方式の放送信号に含まれるデータのいずれか一方が選択される。そして、ステップＳ２４，２６において、ステップＳ２３，Ｓ２５において選択されたデータに対してデータ処理が施されて、データ処理が施されたデータに基づくコンテンツが出力される。このため、データ処理の遅れが発生するか否かの判断に基づいて、ハイビジョン方式の放送信号に含まれるデータおよびワンセグ方式の放送信号に含まれるデータのいずれか一方に対してデータ処理が施される。従って、ハイビジョン方式のコンテンツの出力が途切れる場合であっても、ワンセグ方式の放送信号に含まれるデータに対してデータ処理が行われるため、ワンセグ方式のコンテンツを出力して、デジタル放送を視聴する際に、コンテンツの出力が途切れることを防止することができる。
【００６６】
（４）パソコン２０は、放送信号に含まれるデータに対してデータ処理を施すデータ処理部２８と、データ処理部２８によってデータ処理が施されたデータに基づくコンテンツを出力するコンテンツ出力部２９とを備えている。また、パソコン２０は、データ処理部２８によってハイビジョン方式の放送信号に含まれるデータに対してデータ処理が施される場合に、データ処理の遅れが発生するか否かを判断する処理遅れ判断部３６を備えている。さらに、パソコン２０は、データ処理が施されるデータを含む放送信号として、ハイビジョン方式の放送信号およびワンセグ方式の放送信号のいずれか一方を選択する信号選択部２２と、処理遅れ判断部３６の判断に基づいて、信号選択部２２にハイビジョン方式、ワンセグ方式の放送信号のいずれか一方を選択させるＣＰＵ３０を備えている。このため、上述の（３）と同様の効果を得ることができる。
【００６７】
（第３の実施形態）
次に、本発明の第３の実施形態について、図面を参照しながら説明する。なお、上述の第２の実施形態と同一の構成については、同一の符号を示して、ここでは詳しい説明を省略する。
【００６８】
本実施形態においては、上述の第２の実施形態において説明したパソコン２０が、図８に示すように、さらに、データ処理部２８によってハイビジョン方式の放送信号に含まれるデータに対してデータ処理が施される場合に、データ処理の遅れが発生するか否かを判断するために、テスト処理部３７を備えている。テスト処理部３７は、データ処理部２８にテスト用データに対してデータ処理を施させ、処理遅れ判断部３６は、テスト用データに対して所定時間内にデータ処理が施された場合、データ処理の遅れが発生しないと判断する。以下、本実施形態に係るデジタル放送コンテンツ出力システムにおけるデジタル放送コンテンツ出力方法を、図９を参照して説明する。なお、上記第２の実施形態において説明したステップと同様のステップは、同一の符号を付して、説明を省略する。
【００６９】
本実施形態におけるデジタル放送コンテンツ出力システム１において、まず、ユーザーが希望する番組の視聴を行う旨の指示が、ＣＰＵ３０に入力される（ステップＳ２０）。次いで、テスト処理部３７が、データ処理部２８にテスト用データを入力して、テスト用のデータ処理を施させることにより、データ処理部２８においてテスト用データに対して施されたデータ処理に必要とした時間（テスト処理の結果）を取得する（ステップＳ２１）。即ち、ステップＳ２１は、データ処理部２８においてハイビジョン方式の放送信号に含まれるデータに対してデータ処理を施す場合に、データ処理の遅れが発生するか否かを判断するために、テスト用データに対してデータ処理を施すテスト処理ステップである。
【００７０】
より具体的には、テスト処理部３７は、例えば、地上波デジタル放送における最大の情報ビットレート（約２３Ｍｂｐｓ）で、多重分離部に対してＴＳ形式の放送信号を１０秒間入力し続け、入力した放送信号が多重分離部によって映像データと音声データ等に全て分離するために必要とした時間を計測する。
【００７１】
次いで、処理遅れ判断部３６が、データ処理部２８においてハイビジョン方式の放送信号に含まれるデータに対してデータ処理を施す場合に、データ処理の遅れが発生するか否かを判断する（ステップＳ２２）。本実施形態においては、処理遅れ判断部３６は、ステップＳ２１におけるテスト処理の結果に基づいて、データ処理部２８において処理の遅れが発生するか否かを判断する。即ち、例えば、２３Ｍｂｐｓの情報ビットレートで多重分離部２４に対してＴＳ形式の放送信号を１０秒間入力し続け、多重分離部２４によって映像データと音声データ等に全て分離するために必要とした時間が、１０秒以内であれば、ＣＰＵ３０は、データ処理の遅れが発生しないと判断する。一方、多重分離部２４によって映像データと音声データ等に全て分離するために必要とした時間が、１０秒を過ぎるのであれば、ＣＰＵ３０は、データ処理の遅れが発生すると判断する。なお、本実施形態においては、２３Ｍｂｐｓの情報ビットレートで多重分離部２４に対してＴＳ形式の放送信号を１０秒間入力し続けたが、情報ビットレートや、入力する放送信号や、入力する時間は適宜変更してもよい。また、多重分離部２４以外のデータ処理部２８（例えば、復号化処理部２３やデータデコード部２５）に対してテスト処理を行っても良い。なお、本実施形態においては、処理遅れ判断部３６は、デジタル放送の視聴を開始する旨の指示が入力された後に（即ち、ステップＳ２１において）、テスト処理を行っているが、テスト処理を行うタイミングは適宜変更してもよい。即ち、例えば、上記制御プログラムがインストールされた際に、テスト処理部３７が、データ処理部２８にテスト用データを入力して、テスト用のデータ処理を施させることにより、データ処理部２８においてテスト用データに対して施されたデータ処理に必要とした時間（テスト処理の結果）を取得してもよい。
【００７２】
なお、ステップＳ２２以降の処理については、図６および図７に示すとともに、上述した第２の実施形態において説明した処理と同一の内容であるため、ここではその説明を省略する。
【００７３】
以上に説明した本実施形態によれば、以下の効果を得ることができる。
（５）本実施形態に係るデジタル放送コンテンツ出力方法は、データ処理の遅れが発生するか否かを判断するために、テスト用データに対してデータ処理を施すテスト処理ステップであるステップＳ２１を備える。このため、テスト用データに対するデータ処理に基づいて、データ処理の遅れが発生するか否かの判断を正確に行うことができる。従って、テスト用データに対してデータ処理（分離処理）を施すため、テスト用データに対するデータ処理に基づいて、データ処理の遅れが発生するか否かの判断を正確に行うことができる。
【００７４】
（６）パソコン２０は、データ処理部２８によってハイビジョン方式の放送信号に含まれるデータに対してデータ処理が施される場合に、データ処理の遅れが発生するか否かを判断するために、データ処理部２８にテスト用データに対してデータ処理を施させるテスト処理部３７を備える。このため、上述の（５）と同様の効果を得ることができる。
【００７５】
なお、上記実施形態は以下のように変更してもよい。
・上記実施形態においては、デジタル放送コンテンツ出力システム１において、チューナーモジュール１０とパソコン２０とを備える構成としたが、図１０、図１１に示すように、チューナーモジュール１０をデジタル放送受信部として、デジタル放送コンテンツ出力装置であるパソコン２０と一体的に構成してもよい。この場合、インターフェース１７、インターフェースコントローラ２１、およびＣＰＵ１８が不要になり、デジタル放送コンテンツ出力装置の構成が簡素化される。なお、この場合、チューナー部１２、復調部１３、デスクランブル処理部１４、ＩＣカードインターフェース１５、および暗号化処理部１６の各部の制御は、ＣＰＵ３０により行われることになる。この場合も、上述の効果（１）〜（６）と同様の効果を得ることができる。また、図１１に示すデジタル放送コンテンツ出力装置であるパソコン２０において、上述のテスト処理部３７を備える構成としてもよいことは、言うまでもない。
【００７６】
・また、上記実施形態において、第１の放送信号はハイビジョン方式の放送信号であったが、第１の放送信号は標準方式の放送信号であってもよい。この場合、１つの放送局が使用する放送信号には、上述の１３セグメントのうち４セグメントを使用した放送信号である第１の放送信号と、上述の１３セグメントのうち１セグメントを使用した放送信号である第２の放送信号とが含まれている。このようにしても上記（１）〜（６）の効果を得ることができる。
【００７７】
・上記第１の実施形態においては、ステップＳ４において、処理遅れ検出部３５が、ＰＴＳまたはＤＴＳとＳＴＣとを比較しているが、ＰＴＳまたはＤＴＳの示す時刻がＳＴＣの示す時刻を過ぎていれば、ステップＳ７へ移行していたが、この比較回数は１回であっても複数回であってもよい。即ち、１つのＰＥＳ形式の映像データに含まれるＰＴＳまたはＤＴＳの示す時刻に基づいてデータ処理の遅れを検出するのではなく、複数のＰＥＳ形式の映像データに含まれるＰＴＳまたはＤＴＳの示す時刻に基づいてデータ処理の遅れを検出してもよい。例えば、１０秒間に１０回、ＰＥＳ形式の映像データに含まれるＰＴＳまたはＤＴＳの示す時刻が、ＳＴＣの示す時刻を過ぎている場合にデータ処理の遅れを検出することとしてもよい。このようにしても上記（１）、（２）の効果を得ることができる。
【００７８】
・また、ＰＥＳ形式の映像データに含まれるＰＴＳまたはＤＴＳの示す時刻が、ＳＴＣの示す時刻を過ぎている回数によって、データ処理の遅れを検出せずに、ＳＴＣの示す時刻を過ぎている時刻を示すＰＴＳまたはＤＴＳを含むＰＥＳ形式の映像データにおいて、その映像データが有するフレーム数に基づいて、データ処理の遅れを検出してもよい。例えば、ＳＴＣの示す時刻を過ぎている時刻を示すＰＴＳまたはＤＴＳを含むＰＥＳ形式の映像データに含まれるフレーム数が、１分間に１５フレーム（即ち、１つのＧＯＰ（Group Of Picture）に含まれるフレーム数）以上あった場合に、データ処理の遅れを検出することとしてもよい。このようにしても上記（１）、（２）の効果を得ることができる。
【００７９】
・また、ユーザーによってデータ処理の遅れを検出する判断基準を定めてもよい。例えば、ハイビジョン方式のコンテンツの出力が途切れ、ユーザーがキーボード３３を用いて、キーボード３３の操作に基づいて、ＣＰＵ３０が、信号選択部２２がワンセグ方式の放送信号を選択するように、制御信号を信号選択部２２へ出力する。そして、このキーボード３３が操作された際の、所定時間内におけるＰＥＳ形式の映像データに含まれるＰＴＳまたはＤＴＳの示す時刻がＳＴＣの示す時刻を過ぎている回数、またはＳＴＣの示す時刻を過ぎている時刻を示すＰＴＳまたはＤＴＳを含むＰＥＳ形式の映像データに含まれるフレーム数をハードディスク３２に記憶する。そして、このようにハードディスク３２に上述の回数またはフレーム数が記憶された後は、ハードディスク３２に記憶された上述の回数またはフレーム数に基づいて、データ処理の遅れを検出してもよい。このようにしても上記（１）、（２）の効果を得ることができる。
【００８０】
・また、上記第１の実施形態においてはＰＥＳ形式の映像データに含まれるＰＴＳまたはＤＴＳとＳＴＣとを比較しているが、ＰＥＳ形式の音声データに含まれるＰＴＳとＳＴＣとを比較してもよく、ＰＥＳ形式の字幕データに含まれるＰＴＳとＳＴＣとを比較してもよい。このようにしても上記（１）、（２）の効果を得ることができる。
【００８１】
・上記第２の実施形態においては、ステップＳ２２において、処理遅れ判断部３６は、データ処理部２８を制御するＣＰＵ３０の処理性能に基づいて、データ処理の遅れが発生するか否かを判断していたが、データ処理部２８におけるデータ処理に係る構成の性能等に基づいて、データ処理の遅れが発生するか否かを判断してもよい。例えば、制御プログラムに基づいてデータ処理部２８を制御するＣＰＵ３０が用いるメモリ３０ａの容量や、データデコード部２５がフレームバッファメモリとして用いるＶＲＡＭ２５ａの容量や、ハードディスク３２に設けられた仮想メモリ等の容量に基づいて、データ処理の遅れが発生するか否かを判断してもよい。また、これらの性能等の組み合わせに基づいて、データ処理の遅れが発生するか否かを判断してもよい。このようにしても上記（３）、（４）の効果を得ることができる。
【００８２】
・また、ＣＰＵ３０の周波数や、メモリ３０ａ，ＶＲＡＭ２５ａの容量といった静的な性能ではなく、ＣＰＵ３０の使用率や、ＣＰＵ３０によって処理されているプログラムの数や、メモリ３０ａ，ＶＲＡＭ２５ａの空き容量等の動的な性能に基づいて、データ処理の遅れが発生するか否かを判断してもよい。このようにしても上記（３）、（４）の効果を得ることができる。
【図面の簡単な説明】
【００８３】
【図１】本発明の第１の実施形態に係るデジタル放送コンテンツ出力方法を使用するデジタル放送コンテンツ出力システムの全体構成を示すブロック図。
【図２】デジタル放送信号とそれに含まれるデータの構成を説明するための図。
【図３】本発明の第１の実施形態に係るデジタル放送コンテンツ出力システムにおけるコンテンツの出力手順を示すフローチャート。
【図４】本発明の第１の実施形態に係るデジタル放送コンテンツ出力システムにおけるコンテンツの出力手順を示すフローチャート。
【図５】本発明の第２の実施形態に係るデジタル放送コンテンツ出力方法を使用するデジタル放送コンテンツ出力システムの全体構成を示すブロック図。
【図６】本発明の第２の実施形態に係るデジタル放送コンテンツ出力システムにおけるコンテンツの出力手順を示すフローチャート。
【図７】本発明の第２の実施形態に係るデジタル放送コンテンツ出力システムにおけるコンテンツの出力手順を示すフローチャート。
【図８】本発明の第３の実施形態に係るデジタル放送コンテンツ出力方法を使用するデジタル放送コンテンツ出力システムの全体構成を示すブロック図。
【図９】本発明の第３の実施形態に係るデジタル放送コンテンツ出力システムにおけるコンテンツの出力手順を示すフローチャート。
【図１０】本発明のデジタル放送コンテンツ出力装置を示すブロック図。
【図１１】本発明のデジタル放送コンテンツ出力装置を示すブロック図。
【符号の説明】
【００８４】
１…デジタル放送コンテンツ出力システム、１０…チューナーモジュール（デジタル放送受信装置）、２０…パソコン（デジタル放送コンテンツ出力装置）、２２…信号選択部、２３…復号化処理部、２４…多重分離部、２５…データデコード部、２６…ディスプレイ、２７…スピーカ、２８…データ処理部、２９…コンテンツ出力部、３０…ＣＰＵ（制御部）、３５…処理遅れ検出部、３６…処理遅れ判断部、３７…テスト処理部。
【図１】
2009021806.tif 000003
【図２】
2009021806.tif 000004
【図３】
2009021806.tif 000005
【図４】
2009021806.tif 000006
【図５】
2009021806.tif 000007
【図６】
2009021806.tif 000008
【図７】
2009021806.tif 000009
【図８】
2009021806.tif 000010
【図９】
2009021806.tif 000011
【図１０】
2009021806.tif 000012
【図１１】
2009021806.tif 000013